(57)【特許請求の範囲】
【請求項１】
第１の基体と第２の基体とを相対して回動自在に枢支連結した把持本体と、第１の基体に設けた毛髪受け部材及び第２の基体に設けた毛髪押さえ部材からなる毛髪挟持部とを備え、前記毛髪受け部材及び前記毛髪押さえ部材に、毛髪を挟持しうるように相対する加熱板を設けたヘアーアイロンであって、
前記毛髪受け部材が、毛髪を受けうる凹部を有し、該凹部内表面が、湾曲面と該湾曲面に連続する２つの側面とを備える実質的にU字形状を有し、
前記毛髪押さえ部材の外表面が、前記毛髪受け部材の凹部内表面に対して毛髪を押さえ、毛髪を挟持しうるように湾曲面と該湾曲面に連続する２つの側面とを少なくとも備える形態を有し、
前記相対する加熱板の一方の加熱板が、前記毛髪受け部材の一方の側面の所定箇所に設けられ、前記相対する加熱板の他方の加熱板が、前記毛髪押さえ部材の一方の側面の所定箇所に設けられていることを特徴とするヘアーアイロン。
【請求項２】
前記毛髪受け部材の一方の側面の所定箇所に設けられている前記一方の加熱板の表面が、当該加熱板を設けた側面に対して、該側面に連続する湾曲面の湾曲方向に傾斜をなしており、且つ前記毛髪押さえ部材の一方の側面の所定箇所に設けられている前記他方の加熱板の表面が、前記一方の加熱板の表面と相補的形状となる傾斜をなしていることを特徴とする請求項１記載のヘアーアイロン。
【請求項３】
毛髪挟持部及び把持本体が、脱着しうる脱着機構を備えることを特徴とする請求項１又は２記載のヘアーアイロン。
【請求項４】
前記脱着機構を、毛髪挟持部を構成する毛髪受け部材及び毛髪押さえ部材の各々両端に設けたことを特徴とする請求項３記載のヘアーアイロン。
【請求項５】
毛髪受け部材及び毛髪押さえ部材に設けた加熱板が、脱着可能な脱着機構を備え、毛髪受け部材及び毛髪押さえ部材の各々の一方の側面と、他方の側面に付替え可能にしたことを特徴とする請求項１〜４のいずれか１項記載のヘアーアイロン。
【請求項６】
交換用毛髪挟持部として、毛髪受け部材及び毛髪押さえ部材における少なくとも前記湾曲面の曲率が異なる脱着機能を備える毛髪挟持部を含むことを特徴とする請求項３〜５のいずれか１項記載のヘアーアイロン。
【請求項７】
交換用毛髪挟持部として、毛髪受け部材及び毛髪押さえ部材における少なくとも前記加熱板が他方の側面に相対して設けられた脱着可能な毛髪挟持部を含むことを特徴とする請求項３又は４記載のヘアーアイロン。
【発明の詳細な説明】
【技術分野】
【０００１】
本発明は、ヘアーアイロン本体を実質的に回転させたり、該本体に毛髪を巻付けることなく、毛髪に対して容易に様々なカールやウェーブを付けることができるヘアーアイロンに関する。
【背景技術】
【０００２】
ヘアーアイロンとしては、癖毛や人工的にカール付けした毛髪を、ストレートに強制するタイプと、毛髪に所望のカールやウェーブを付与するタイプのものが従来から良く知られている。
前記毛髪をストレートに強制するヘアーアイロンは、一般に、回動自在に枢支連結された把持本体に、相対する平板の加熱プレートを備えた毛髪挟持部を設けた構造を備えている。そして、癖毛等の毛髪を、加熱された前記加熱プレートで挟持し、毛の根元側から先端方向に加熱プレートをスライドさせることにより毛髪をストレートに強制することができる。
一方、毛髪に所望のカール等を付与するタイプのヘアーアイロンとしては、例えば、外形が円形となるパイプ状本体に合致する略半円弧状の毛髪押さえ板を、該パイプ状本体に相対して回動自在に枢支連結し、前記半円弧状の毛髪押さえ板の内面の略全面と、該毛髪押さえ板内面と合致するパイプ状本体の外面とが加熱しうる加熱板となっている構造を備える。
このようなヘアーアイロンは、パイプ状本体と、半円弧状の毛髪押さえ板とにより毛髪を挟持し、カール付け等を行う場合には、本体を回転させて毛髪を本体に巻きつけたり、回転させながらスライドさせる方法が採用される。この際、挟持した毛髪を本体に巻き付けせずに、また、回転させずにそのまま毛の根元側から先端方向にスライドさせる使用法が可能な場合にこのような使い方をすると、上述の癖毛等の毛髪をストレートに強制する場合と同様な作用が得られるのみで、毛髪にカール等は付与されない。
【０００３】
最近、ヘアーアイロンは、美容室等の専門店での使用のみならず、ドライヤーと同様に一般家庭においても普及しつつある。そして、熟練者のみならず、素人が自ら所望のカールやウェーブを毛髪に容易に付与したり、また、カール等がかかった毛髪をストレートに強制する様々なヘアーアイロンが多数提案され市販されている。例えば、特許文献１〜３には、毛髪に所望のカール等を付与できると共に、カール等がかかった毛髪をストレートに強制することもできるヘアーアイロンが提案されている。
しかし、従来提案されている毛髪に所望のカール等を付与できるヘアーアイロンは、ヘアーアイロン本体を回転させたり、該本体に毛髪を巻き付けたりしなければカール等を付与できない構造となっており、必ずしも素人においても所望のカール付けを容易に行うことができるとは限らないのが実状であった。
【特許文献１】特開２００２−３４５５３６号公報
【特許文献２】特開２０００−１５７３２２号公報
【特許文献３】特開２００３−２４５１１６号公報
【発明の開示】
【発明が解決しようとする課題】
【０００４】
従って、本発明の課題は、ヘアーアイロン本体を実質的に回転させたり、該本体に毛髪を巻付けることなく、様々なカールやウェーブを毛髪に容易に付与することができるヘアーアイロンを提供することにある。
【課題を解決するための手段】
【０００５】
本発明によれば、第１の基体１１ａと第２の基体１１ｂとを相対して回動自在に枢支連結した把持本体１１と、第１の基体１１ａに設けた毛髪受け部材１３ａ及び第２の基体１１ｂに設けた毛髪押さえ部材１３ｂからなる毛髪挟持部１３とを備え、前記毛髪受け部材１３ａ及び前記毛髪押さえ部材１３ｂに、毛髪を挟持しうるように相対する加熱板(１５ａ，１５ｂ)を設けたヘアーアイロン１０であって、前記毛髪受け部材１３ａが、毛髪を受けうる凹部を有し、該凹部内表面が、湾曲面１４ｃと該湾曲面１４ｃに連続する２つの側面(１４ａ，１４ｂ)とを備える実質的にU字形状を有し、前記毛髪押さえ部材１３ｂの外表面が、前記毛髪受け部材の凹部内表面に対して毛髪を押さえ、毛髪を挟持しうるように湾曲面１４ｆと該湾曲面１４ｆに連続する２つの側面(１４ｄ，１４ｅ)とを少なくとも備える形態を有し、前記相対する加熱板の一方の加熱板１５ａが、前記毛髪受け部材１３ａの一方の側面１４ａの所定箇所に設けられ、前記相対する加熱板の他方の加熱板１５ｂが、前記毛髪押さえ部材１３ｂの一方の側面１４ｄの所定箇所に設けられていることを特徴とするヘアーアイロンが提供される。
【０００６】
このような構成、特に、前記毛髪受け部材の凹部内表面を実質的にU字形状とし、前記相対する加熱板の一方の加熱板が、前記毛髪受け部材の一方の側面の所定箇所に設けられ、前記相対する加熱板の他方の加熱板が、前記毛髪押さえ部材の一方の側面の所定箇所に設ける構成を採用するので、例えば、使用に際しては、加熱板を設けた側の側面を毛髪の先端側にし、加熱板を設けていない側の他方の側面を毛髪の根元側となるように毛髪を挟持し、毛の根元側から先端方向に単に毛髪挟持部をスライドさせることで、加熱板で熱せられた毛髪がU字形状における湾曲面と他方の側面との間で冷却され、この際、湾曲面に沿ったカールやウェーブを毛髪に付与することができる。
加熱板をU字形状における湾曲面や他方の側面まで延長して形成するとカールやウェーブを形成することができない。
ここで、実質的にU字形状を有するとは、完全なU字形状でなくてもカールやウェーブを毛髪に付与しうる湾曲面を有し、毛髪挟持部をスライドさせることで所望の効果が得られるU字形状に類似する形状であっても良いことを意味する。従って、例えば、湾曲面と該湾曲面に連続する２つの側面において、一方の側面が略垂直な平面で、他方の側面が湾曲面と連続する湾曲面となっているような場合でも良い。更には、加熱板を形成した側面から連続する湾曲面を有しており、毛髪押さえ部材が挿入される開口を有している形状であれば良い。
また、本発明のヘアーアイロンにおいて、後に図により例示するように、通常、毛髪挟持部は、把持本体における回動自在に枢支連結した連結部と反対の他端側に設けられるが、この際、毛髪挟持部は、必ずしも他端の先端から設ける必要は無く、また、毛髪挟持部の形成範囲は、所望のカールやウェーブを形成しうるように適宜決定することができる。更に、前記加熱板の長軸方向、即ち、毛髪挟持部側から前記連結部方向への形成範囲も所望のカールやウェーブを形成する範囲により毛髪の挟持量を勘案して適宜決定することができる。
【０００７】
また本発明によれば、前記毛髪受け部材１３ａの一方の側面１４ａの所定箇所に設けられている前記一方の加熱板１５ａの表面が、当該加熱板１５ａを設けた側面１４ａに対して、該側面１４ａに連続する湾曲面１４ｃの湾曲方向に傾斜をなしており、且つ前記毛髪押さえ部材１３ｂの一方の側面１４ｄの所定箇所に設けられている前記他方の加熱板１５ｂの表面が、前記一方の加熱板１５ａの表面と相補的形状となる傾斜をなしていることを特徴とする前記ヘアーアイロンが提供される。
前記加熱板の表面にこのような傾斜を設けることにより、ヘアーアイロンをスライドさせる際に挟持された毛髪がスムーズに相対する加熱板を通過し得ると共に、所望のカールやウェーブの付与がより確実に、また容易になる。
【０００８】
更に本発明によれば、前記毛髪挟持部１３及び前記把持本体１１が、脱着しうる脱着機構(Ａ−１，Ａ−２)を備えることを特徴とする前記ヘアーアイロンが提供される。
このような脱着機構は、公知の脱着機構等が採用でき、毛髪挟持部を後述するような他の毛髪挟持部に容易に交換することができる。また、毛髪挟持部として、本発明に係る毛髪挟持部の形態とは異なる、例えば、癖毛等をストレートに強制する公知形態等の毛髪挟持部と交換することも可能である。
【０００９】
更にまた本発明によれば、前記脱着機構(Ａ−１，Ａ−２)を、毛髪挟持部を構成する毛髪受け部材及び毛髪押さえ部材の各々両端に設けたことを特徴とする前記ヘアーアイロンが提供される。
このように脱着機構を毛髪受け部材及び毛髪押さえ部材の各々両端に設けることで、これらの方向を逆にして把持本体に連結することができ、従って、加熱板の位置を、一方の側面に形成した場合と、他方の側面に形成した場合との状態に容易に変更することができる。
このように加熱板の設置方向を容易に変更しうるような構成とすることで、自らが左右の毛髪にカール等を付与する際に、無理な態勢を取ること無く、毛髪挟持部の連結方向を変えるのみで容易に左右の毛髪にカールを付与することができる。要するに、本発明のヘアーアイロンを使用する場合には、加熱板を設けた側の側面を毛髪の先端側にし、加熱板を設けていない側の他方の側面を毛髪の根元側となるように毛髪を挟持し、毛の根元側から先端方向に毛髪挟持部をスライドさせないとカール等を形成することができないので、左側の毛髪と右側の毛髪に対して自らがカール付けを行う場合には、加熱板が設けられる側面を容易に逆転させることで同様な態勢でカール等を付与することができる。
【００１０】
また本発明によれば、毛髪受け部材１３ａ及び毛髪押さえ部材１３ｂに設けた加熱板(１５ａ，１５ｂ)が、脱着可能な脱着機構を備え、毛髪受け部材１３ａ及び毛髪押さえ部材１３ｂの各々の一方の側面(１４ａ，１４ｄ)と、他方の側面(１４ｂ，１４ｅ)に付替え可能にしたことを特徴とする前記ヘアーアイロンが提供される。
このように加熱板を一方の側面から他方の側面に付替え可能にすることにより、上述の毛髪挟持部の両端に脱着機構を設けた場合と同様な作用効果が得られる。
【００１１】
更に本発明によれば、交換用毛髪挟持部として、毛髪受け部材及び毛髪押さえ部材における少なくとも前記湾曲面の曲率が異なる脱着機能を備える毛髪挟持部を含むことを特徴とする前記ヘアーアイロンが提供される。
このような湾曲率の異なる交換用の毛髪挟持部を含むことにより、毛髪挟持部を簡単に交換してカール付けを行うことで、カールの大きさや形状の異なる様々なカール等を毛髪に容易に付与することができる。
【００１２】
更にまた本発明によれば、交換用毛髪挟持部として、毛髪受け部材及び毛髪押さえ部材における少なくとも前記加熱板が他方の側面に相対して設けられた脱着可能な毛髪挟持部を含むことを特徴とする前記ヘアーアイロンが提供される。
このような加熱板の設置位置が異なる交換用の毛髪挟持部を含むことにより、毛髪挟持部を交換することで、上述の毛髪挟持部の両端に脱着機構を設けた場合や、加熱板を脱着可能とした態様と同様な作用効果が得られる。
【発明の効果】
【００１３】
本発明のヘアーアイロンは、特に、前記毛髪受け部材の凹部内表面を実質的にU字形状とし、前記相対する加熱板の一方の加熱板が、前記毛髪受け部材の一方の側面の所定箇所に設けられ、前記相対する加熱板の他方の加熱板が、前記毛髪押さえ部材の一方の側面の所定箇所に設ける構成を採用するので、ヘアーアイロン本体を実質的に回転させたり、該本体に毛髪を巻付けることなく、容易に様々なカールやウェーブを毛髪に付与することができる。従って、美容室等における使用のみならず、一般家庭においても容易に所望のカール等を毛髪に付与するために使用することができる。また、毛髪挟持部を脱着可能にし、例えば、U字形状の大きさや湾曲率の異なる毛髪挟持部を交換用として含むことにより、更に様々なカール等を容易に毛髪に付与することができる。
【発明を実施するための最良の形態】
【００１４】
以下、本発明の具体的な好ましい形態を図面を参照して更に詳細に説明するが、本発明はこれらに限定されず、種々の変更、改良を加えることができるものである。
図１は、本発明の一実施形態に係るヘアーアイロンの概略全体斜視図を示し、図２は、本発明に係る脱着機構を備えた把持本体の概略斜視図を示し、図３は、本発明に係る脱着可能な毛髪挟持部の一実施形態を示す概略斜視図を示し、図４は、本発明に係る脱着可能な毛髪挟持部の他の実施形態を示す概略斜視図を示し、図５は、本発明のヘアーアイロンの使用法と、使用した際に毛髪に付与されるカールやウェーブの状態を説明するための使用説明図である。
【００１５】
図１において１０は、カールやウェーブを毛髪に付与しうるヘアーアイロンであり、該ヘアーアイロン１０は、第１のアーム１１ａ及び第２のアーム１１ｂが連結部１２に回動自在に枢支連結した把持本体アーム１１と、毛髪を挟持するための、毛髪受け部材１３ａ及び毛髪押さえ部材１３ｂからなる毛髪挟持部１３とを備えた構成を有する。ここで、把持本体アーム１１には、後述する加熱板を加熱するための電源コード１６が接続されており、図示しないが、加熱温度を所望温度に調整しうる温度制御装置等が備えられている。
また、この態様では、図１に示すＡの部分で、把持本体アーム１１と毛髪挟持部１３とが脱着自在に連結されている。この脱着は、例えば、図２に示すような脱着機構Ａ−１を第１のアーム１１ａ及び第２のアーム１１ｂのそれぞれに設け、この脱着機構Ａ−１を受けうる開口を毛髪受け部材１３ａ及び毛髪押さえ部材１３ｂのＡ側の端面に設けることにより行うことができる。
ここで、把持本体アーム１１を構成する第１のアーム１１ａ及び第２のアーム１１ｂの形態は、図示したものに限定されず、握り易く、また、連結部１２により把持本体アームを容易に回動しうる形態であれば特に限定されない。
【００１６】
毛髪挟持部１３において、毛髪受け部材１３ａは、図示するように毛髪を受けうる凹部を有し、該凹部内表面は、湾曲面１４ｃとこれに連続する略平面形状の側面(１４ａ，１４ｂ)とを備えるU字形状となっている。そして、毛髪受け部材１３ａの凹部内表面における側面１４ａ側には、該側面１４ａに対して、これに連続する湾曲面１４ｃの湾曲方向に傾斜された傾斜面を有する加熱板１５ａが、図示するような幅で毛髪受け部材１３ａの先端から他端まで長方形形状に設けられている。
毛髪挟持部１３において、毛髪押さえ部材１３ｂは、図示するように上記毛髪受け部材１３ａの凹部に合致するような形態を有する。即ち、湾曲面１４ｆと、該湾曲面に連続する２つの側面(１４ｄ，１４ｅ)が、それぞれ毛髪受け部材１３ａの湾曲面１４ｃ、側面(１４ａ，１４ｂ)に対応するような形態を有している。そして、毛髪押さえ部材１３ｂの側面１４ｄ側には、加熱板１５ｂが、上記加熱板１５ａと合致するような相補的形状となる傾斜を有する表面を有し、毛髪押さえ部材１３ｂの先端から他端まで長方形形状に設けられている。
ここで、加熱板(１５ａ，１５ｂ)の傾斜面の傾斜角度は特に限定されないが、側面の形状、それに連続する湾曲面の曲率等に応じて適宜選択することができる。
【００１７】
また、加熱板(１５ａ，１５ｂ)の長軸方向に対する設置範囲は、必ずしも上述のように毛髪受け部材１３ａ及び毛髪押さえ部材１３ｂの先端から他端までとする必要は無く、所望の範囲で設けることができる。
一方、加熱板(１５ａ，１５ｂ)の長軸方向に対して垂直な方向の設置範囲は、側面(１４ａ，１４ｄ)の全体若しくは一部となるようにする必要がある。毛髪にカールやウェーブを付与することができれば、加熱板(１５ａ，１５ｂ)が湾曲面(１４ｃ，１４ｆ)の一部にかかる程度に設けられていても良いが、実質的には湾曲面(１４ｃ，１４ｆ)にかからない範囲で設けることが好ましい。
図１に示すような、側面(１４ａ，１４ｂ)並びに側面(１４ｄ，１４ｅ)が略平面の場合には、加熱板(１５ａ，１５ｂ)は、側面(１４ａ，１４ｄ)に設ける代わりに、側面(１４ｂ，１４ｅ)に設けることもできる。
【００１８】
図３は、図１に示す毛髪挟持部１３における毛髪受け部材１３ａ及び毛髪押さえ部材１３ｂの両端に、図２に示す連結機構Ａ−１を連結することができる開口Ａ−２を両端に備える実施形態を示す例である。
このように開口Ａ−２を両端に設けることにより、毛髪挟持部１３の連結方向を変えるのみで、加熱板(１５ａ，１５ｂ)が設けられる側面(１４ａ，１４ｄ)を容易に逆転させて側面(１４ｂ，１４ｅ)側に設けたと同様な態様とすることができる。このような連結方向の転換は、例えば、自らが左右の毛髪にカール等を付与する際に、無理な態勢を取ること無く、容易に左右の毛髪にカールを付与するために、左側の毛髪をカール等した後に、右側の毛髪に対してカール付けする際等に行うと有効である。
【００１９】
図４は、図３に示す毛髪受け部材１３ａ及び毛髪押さえ部材１３ｂにおいて、凹部の内表面形状と毛髪押さえ部材１３ｂの外形の形状を変更した他の実施形態を示す例であり、図番の十台の数字を４とした以外は同様のものである。
ここで、図４の例では、湾曲面(４４ｃ，４４ｆ)の曲率が図３のものと変更されており、また、毛髪受け部材４３ａにおける側面４４ｂ及び毛髪押さえ部材４３ｂにおける側面４４ｅが、毛髪受け部材１３ａにおける側面１４ｂ及び毛髪押さえ部材１３ｂにおける側面１４ｅの平面から湾曲面に変更されている。本発明において実質的にＵ字形状を有するとは、図４に示すような凹部形状も含むものとする。
このような、湾曲率や凹部等の形状を変更した毛髪挟持部を交換用とし付属させることにより、図３に示す毛髪挟持部と図４に示す毛髪挟持部とを簡単に交換してカール付けを行うことで、カールの大きさや形状の異なる様々なカール等を毛髪に容易に付与することができる。
【００２０】
図５は、図１に示すヘアーアイロン１０を用いて毛髪５０にウェーブを付与している状態を示すものである。毛髪５０は、上方が毛髪根元側であり、下方が毛髪先端である。
ヘアーアイロン１０を用いて毛髪５０にウェーブを付与するには、加熱板(１５ａ，１５ｂ)を設けた側の側面(１４ａ，１４ｄ)を毛髪５０の先端側にし、加熱板を設けていない側の他方の側面(１４ｂ，１４ｅ)を毛髪５０の根元側となるように毛髪５０を挟持し、毛の根元側から先端方向に毛髪挟持部１３をスライドさせることで、図５に示すようなウェーブが毛髪５０に付与される。
この際、毛髪挟持部１３で最初に挟持する毛髪５０の位置を、例えば、毛髪５０の先端近くとすることにより、Ｃカールを付与することができ、該先端近くより少し上方を最初に挟持することにより、Ｓカールを形成することができる。
従って、毛髪挟持部１３で最初に挟持する毛髪５０の位置や挟持する毛髪量等を種々変更することにより、所望の様々なカールやウェーブを毛髪５０に付与することができる。また、毛髪挟持部１３を毛髪挟持部４３に変更することにより、カールやウェーブの大きさを異ならせることもできる他、加熱板の加熱温度を調整することによっても様々な形態のカールやウェーブを毛髪５０に付与することができる。
【図面の簡単な説明】
【００２１】
【図１】本発明の一実施形態に係るヘアーアイロンを示す概略全体斜視図である。
【図２】本発明に係る脱着機構を備えた把持本体アームを示す概略斜視図である。
【図３】本発明に係る脱着可能な毛髪挟持部の一実施形態を示す概略斜視図である。
【図４】本発明に係る脱着可能な毛髪挟持部の他の実施形態を示す概略斜視図である。
【図５】本発明のヘアーアイロンの使用法と、使用した際に毛髪に付与されるカールやウェーブの状態を説明するための使用説明図である。
【符号の説明】
【００２２】
１０：ヘアーアイロン
１１：把持本体アーム
１１ａ：第１のアーム
１１ｂ：第２のアーム
１３：毛髪挟持部
１３ａ，４３ａ：毛髪受け部材
１３ｂ，４３ｂ：毛髪押さえ部材
１４ａ，１４ｂ，１４ｄ，１４ｅ，４４ａ，４４ｂ，４４ｄ，４４ｅ：側面
１４ｃ，１４ｆ，４４ｃ，４４ｆ：湾曲面
１５ａ，１５ｂ，４５ａ，４５ｂ：加熱板
Ａ−１，Ａ−２：脱着機構
【図１】
0003594591.tif 000002
【図２】
0003594591.tif 000003
【図３】
0003594591.tif 000004
【図４】
0003594591.tif 000005
【図５】
0003594591.tif 000006